(57)【要約】【課題】  落下によるレンズユニットの破損をより確実に防止する。【解決手段】  腕や首にストラップ１００を通すと輪が広がることを利用して、撮影者がストラップ１００を使用しているか否かを検出している。そして、電源をオンすると、ストラップ１００を使用するまで、液晶ディスプレイに警告表示を表示すると共に、ズームレンズユニット１１を繰り出さない。また、ズームレンズユニット１１が繰出されている状態のとき、ストラップ１００の使用を監視し、ストラップ１００が使用さなれなくなったら、ズームレンズユニット１１を沈胴させると共に、警告表示を表示する。このように、ズームレンズユニット１１が繰り出され伸長しているときは、ストラップ１００が使用されている状態となるようにすることで、ズームレンズユニット１１が繰り出され伸長した状態での落下を確実に防止している。【選択図】        図１
2007108323.tif 000002
【特許請求の範囲】
【請求項１】
撮像装置筐体と、
前記撮像装置筐体から光軸方向に伸長及び沈胴し、突出長が変化するレンズユニットと、
を備える撮像装置であって、
前記撮像装置筐体に取り付けられ、当該撮像装置の落下を防止するために撮影者が使用するストラップと、
前記ストラップを撮影者が使用しているか否かを検出する検出手段と、
前記検出手段による検出結果を表示する表示手段と、
を備えることを特徴とする撮像装置。
【請求項２】
前記レンズユニットが伸長しようとする際、
前記検出手段は前記ストラップを撮影者が使用しているか否かを検出し、
前記検出手段が前記ストラップを使用していないと検出すると、
前記表示手段は検出結果を表示することを特徴とする請求項１に記載の撮像装置。
【請求項３】
撮像装置筐体と、
前記撮像装置筐体から光軸方向に伸長及び沈胴し、突出長が変化するレンズユニットと、
を備える撮像装置であって、
前記撮像装置筐体に取り付けられ、当該撮像装置の落下を防止するために撮影者が使用するストラップと、
前記ストラップを撮影者が使用しているか否かを検出する検出手段と、
前記検出手段による検出結果によって、前記レンズユニットの伸長と沈胴を制御する制御手段と、
を備えることを特徴とする撮像装置。
【請求項４】
前記レンズユニットが伸長しようとする際、
前記検出手段は前記ストラップを撮影者が使用しているか否かを検出し、
前記検出手段が前記ストラップを使用していないと検出すると、
前記制御手段は前記レンズユニットを伸長しないことを特徴とする請求項３に記載の撮像装置。
【請求項５】
前記レンズユニットが伸長した状態の間、前記検出手段は前記ストラップを撮影者が使用しているか否かを検出し続け、
前記検出手段が前記ストラップを使用していないと検出すると、
前記制御手段は、前記レンズユニットを沈胴させることを特徴とする請求項３、又は請求項４に記載の撮像装置。
【請求項６】
前記ストラップはループ状の輪になっており、撮影者は身体の一部を該ストラップの輪に通して使用し、
前記検出手段は、撮影者の身体の一部が前記ストラップに通っていると輪が広がることで、撮影者が該ストラップを使用しているか否かを検出することを特徴とする請求項１から請求項５のいずれか１項に記載の撮像装置。
【請求項７】
前記ストラップを使用していないときに、該ストラップを巻き取る巻取手段を備え、
前記検出手段は、前記ストラップが巻き取られているか否かを検出することを特徴とする請求項１から請求項５のいずれか１項に記載の撮像装置。
【請求項８】
前記検出手段は、前記巻取手段に巻き取られた前記ストラップで押されて検出することを特徴とする請求項７に記載の撮像装置。
【発明の詳細な説明】
【技術分野】
【０００１】
本発明は、撮像装置に関する。
【背景技術】
【０００２】
光学ズーム機能付きのカメラでは、沈胴式のレンズユニットが採用されているものがある。このようなカメラは、電源オフ状態では、カメラ筐体にレンズユニットを格納しておき、電源をオンするとレンズユニットが伸長して突出し、撮影可能なスタンバイ状態となる。
【０００３】
このような沈胴式のレンズユニットが採用されたカメラは、カメラ筐体内部にレンズユニットが格納可能であるため、レンズを傷つきなどから保護でき、また、携帯性に優れている。しかし、その反面、レンズユニットが伸長し突出している状態でカメラが落下し、衝撃などの外力が加わると、レンズユニットを沈胴させる機構のカム溝に係合しているカムフォロアピンが外れるなど、破損しやすいという問題がある。
【０００４】
このため、加速度センサーで落下を検知し、落下を検知した場合には、レンズユニットを沈胴して格納し、レンズユニットを保護する構成が提案されている。（例えば、特許文献１参照）。
【０００５】
また、レンズユニット交換時の落下防止として、撮影者がレンズユニットとカメラボディの双方を保持していることを検出し、双方で保持している場合にのみレンズユニットの交換を可能とする構成が提案されている。（例えば、特許文献２参照）。
【特許文献１】特開２００５−８４０９３号公報
【特許文献２】特開平０５−３３３４１５号公報
【発明の開示】
【発明が解決しようとする課題】
【０００６】
しかしながら、特許文献１の特開２００５−８４０９３号公報に記載の構成は、落下を検知してからレンズユニットを沈胴させても、格納が完了する前に落ちてしまうと、レンズユニットが衝撃を受けて破損してしまう。つまり、落下による破損に対し、十分に対応できていなかった。
【０００７】
また、特許文献２の特開平０５−３３３４１５号公報に記載の構成は、レンズユニットとカメラボディの双方を手で持っていたとしても、不注意により落下することがある。よって、やはり、落下による破損に対し、十分に対応できていなかった。
【０００８】
本発明は、上記問題を解決すべく成されたもので、落下によるレンズユニットの破損をより確実に防止することを目的とする。
【課題を解決するための手段】
【０００９】
上記目的を達成するために請求項１に記載の撮像装置は、撮像装置筐体と、前記撮像装置筐体から光軸方向に伸長及び沈胴し、突出長が変化するレンズユニットと、を備える撮像装置であって、前記撮像装置筐体に取り付けられ、当該撮像装置の落下を防止するために撮影者が使用するストラップと、前記ストラップを撮影者が使用しているか否かを検出する検出手段と、前記検出手段による検出結果を表示する表示手段と、を備えることを特徴としている。
【００１０】
請求項１に記載の撮像装置は、当該撮像装置の落下を防止するために撮影者が使用するストラップを撮影者が使用しているか否かを検出手段が検出する。そして、検出手段による検出結果を表示手段が表示する。
【００１１】
したがって、撮影者はストラップの使用を意識すると共にストラップの使用を促される。つまり、撮影者は半ば強制的にストラップを使用することになるので、レンズユニットが撮像装置筐体から伸長した状態の撮像装置が落下し、レンズユニットが破損することが防止される。
【００１２】
請求項２に記載の撮像装置は、請求項１に記載の構成において、前記レンズユニットが伸長しようとする際、前記検出手段は前記ストラップを撮影者が使用しているか否かを検出し、前記検出手段が前記ストラップを使用していないと検出すると、前記表示手段は検出結果を表示することを特徴としている。
【００１３】
請求項２に記載の撮像装置は、レンズユニットが伸長しようとすると、検出手段がストラップの使用を検出する。そして、検出手段がストラップを使用していないと検出すると、表示手段が検出結果を表示する。
【００１４】
したがって、レンズユニットが伸長する際は、撮影者は半ば強制的にストラップを使用することになる。
【００１５】
請求項３に記載の撮像装置は、撮像装置筐体と、前記撮像装置筐体から光軸方向に伸長及び沈胴し、突出長が変化するレンズユニットと、を備える撮像装置であって、前記撮像装置筐体に取り付けられ、当該撮像装置の落下を防止するために撮影者が使用するストラップと、前記ストラップを撮影者が使用しているか否かを検出する検出手段と、前記検出手段による検出結果によって、前記レンズユニットの伸長と沈胴を制御する制御手段と、を備えることを特徴としている。
【００１６】
請求項３に記載の撮像装置は、当該撮像装置の落下を防止するために撮影者が使用するストラップを撮影者が使用しているか否かを検出手段が検出する。そして、検出手段による検出結果によって、制御手段がレンズユニットの伸長と沈胴を制御する。
【００１７】
したがって、撮影者がストラップを使用しないで、レンズユニットが撮像装置筐体から伸長し状態の撮像装置が落下し、レンズユニットが破損することが、防止される。
【００１８】
請求項４に記載の撮像装置は、請求項３に記載の構成において前記レンズユニットが伸長しようとする際、前記検出手段は前記ストラップを撮影者が使用しているか否かを検出し、前記検出手段が前記ストラップを使用していないと検出すると、前記制御手段は前記レンズユニットを伸長しないことを特徴としている。
【００１９】
請求項４に記載の撮像装置は、検出手段がストラップを撮影者が使用していないと検出すると、制御手段はレンズユニットを伸長しない。
【００２０】
したがって、レンズユニットが撮像装置筐体から伸長した状態の撮像装置が落下し、レンズユニットが破損することが防止される。
【００２１】
請求項５に記載の撮像装置は、請求項３、又は請求項４に記載の構成において、前記レンズユニットが伸長した状態の間、前記検出手段は前記ストラップを撮影者が使用しているか否かを検出し続け、前記検出手段が前記ストラップを使用していないと検出すると、前記制御手段は、前記レンズユニットを沈胴させることを特徴としている。
【００２２】
請求項５に記載の撮像装置は、レンズユニットが伸長した状態となると、検出手段は前記ストラップを撮影者が使用しているか否かを検出する。そして、検出手段がストラップを使用していないと検出すると、制御手段がレンズユニットを沈胴させる。
【００２３】
したがって、レンズユニットが撮像装置筐体から伸長した状態の撮像装置が落下し、レンズユニットが破損することが防止される。
【００２４】
請求項６に記載の撮像装置は、請求項１から請求項５に記載のいずれか１項の構成において、前記ストラップはループ状の輪になっており、撮影者は身体の一部を該ストラップの輪に通して使用し、前記検出手段は、撮影者の身体の一部が前記ストラップに通っていると輪が広がることで、撮影者が該ストラップを使用しているか否かを検出することを特徴としている。
【００２５】
請求項６に記載の撮像装置は、撮影者が身体の一部（例えば、腕や首）をストラップの輪に通して使用することで落下が防止される。
【００２６】
さて、このように撮影者の身体の一部がストラップに通っていると、輪が広がる。よって、検出手段は輪が広がることで、撮影者がストラップを使用しているか否かを検出する。つまり、簡単で容易に、撮影者がストラップを使用しているか否かを検出している。
【００２７】
請求項７に記載の撮像装置は、請求項１から請求項５のいずれか１項に記載の構成において、前記ストラップを使用していないときに、該ストラップを巻き取る巻取手段を備え、前記検出手段は、前記ストラップが巻き取られているか否かを検出することを特徴としている。
【００２８】
請求項７に記載の撮像装置は、ストラップを使用していないときは、ストラップは巻取手段で巻き取られる。よって、ストラップが巻き取られているときは、ストラップが使用されていないときである。したがって、検出手段は、ストラップが巻き取られているか否かを検出することで、撮影者がストラップを使用しているか否かを検出する。
【００２９】
請求項８に記載の撮像装置は、請求項７に記載の構成において、前記検出手段は、前記巻取手段に巻き取られた前記ストラップで押されて検出することを特徴としている。
【００３０】
請求項８に記載の撮像装置は、ストラップが巻取手段に巻き取られると外径が大きくなる。よって、巻取手段に巻き取られたストラップの外径が大きくなって押されることで、ストラップが巻き取られているか否か、すなわち、撮影者がストラップを使用しているか否かを検出する。
【発明の効果】
【００３１】
以上説明したように本発明によれば、撮影者は落下防止のストラップを使用するので、落下によるレンズユニットの破損をより確実に防止することができる。
【発明を実施するための最良の形態】
【００３２】
本発明の実施形態のデジタルスチルカメラ１０（以下、デジタルカメラ１０と略す）について説明する。
【００３３】
図１に示すように、デジタルカメラ１０の正面には、露光に際して被写体が適正な露光光量が得られない低照度の場合に発光されるストロボ３２と、撮影される被写体像と略同等の像を示す光が入射するファインダー窓３０と、前群レンズ１６（図１（Ｂ）参照）を保護するための開閉可能なレンズバリア３４と、が設けられている。
【００３４】
デジタルカメラ１０の上面には、デジタルカメラ１０の各部への電源電力の供給／供給停止の切り替えを行う電源スイッチ２４と、撮影指示ボタンとして、撮影を実行する際に撮影者によって押圧操作されるシャッタスイッチ（所謂レリーズボタン）２６等が設けられている。
【００３５】
デジタルカメラ１０の側面には、撮影によって得られた画像データをデジタルデータとして記憶する可搬型の記録メディア（本実施の形態では、スマートメディア）をデジタルカメラ１０に装填するためのスロット（図示省略）が設けられている。
【００３６】
図２に示すように、デジタルカメラ１０の背面には、撮影によって得られた被写体像、各種メニュー、画像処理に関するパラメータ、メッセージ、或いは後述する警告表示を表示する液晶ディスプレイ４０、操作ボタン４４，４６、撮影者によって覗かれるファインダー接眼部４２等が設けられている。
【００３７】
また、図１（Ｂ）に示すように、デジタルカメラ１０は、２段繰り出し式の光学ズーム機能付きズームレンズユニット１１を備えている。デジタルカメラ１０は、電源スイッチ２４をオンすると、前述したレンズバリア３４（図１（Ａ）参照）が開き、前群レンズ１６が外部に現れると共に、沈胴していた内筒１５と外筒１４とが伸長する。また、電源スイッチ２４をオフするとズームレンズユニット１１が沈胴しレンズバリア３４が閉じる（図１（Ａ）参照）。
【００３８】
つまり、使用中（電源オン時）はカメラ筐体１２からズームレンズユニット１１を繰り出し伸長した状態（突出した状態）となるが、使用中以外（電源オフ時）は、カメラ筐体１２にズームレンズユニット１１を格納する構成となっている。
【００３９】
なお、図５に示すように、駆動部５２によってズームレンズユニット１１の伸縮が行われ、この駆動部５２は、制御部５０によって制御される。なお、制御部５０は、液晶ディスプレイ４０への警告表示の制御（詳細は後述する）など、デジタルカメラ１０全体を制御する。
【００４０】
デジタルカメラ１０のカメラ筐体１２の側面には、ストラップ１００が取り付けられている。ストラップ１００は、断面が平たい長方形をした帯状の紐部１０２を備えている。（図４（Ｃ）参照）。この紐部１０２の両端部１０２Ａ、１０２Ｂは、根元部１０４に取り付けられている。よって、ストラップ１００は略全体がループ状の輪になっている。
【００４１】
図４に示すように、根元部１０４は、紐部１０２の両端部１０２Ａ，Ｂが挿入される側が開口した箱形状をしている。根元部１０４の開口と反対面（底面）には、円筒状の筒部１０６が設けられ、この筒部１０６がカメラ筐体１２に取り付けられている。
【００４２】
紐部１０２の一方の端部１０２Ｂ側の外面が、根元部１０４の内壁面に固定される共に、紐部１０２の他方の端部１０２Ａが、根元部１０４の底部から突出した取付部１１０に固定されている。
【００４３】
紐部１０２の一方の端部１０２Ａ側の内側面には、第一電極１２０が取り付けられている。他方の端部１０２Ｂ側の内側面には、先端に凸部１２４が形成された第二電極１２２が取り付けられている。また、根元部１０４の壁面には、紐部１０２の他方の端部１０２Ｂ側の外側面を押圧する板バネ１１２が取り付けられている。
【００４４】
第一電極１２０と第二電極１２２には、導線１３０，１３２が電気的に接続しており、この導線１３０，１３２がカメラ筐体１２内部の制御部５０（図５参照）に繋がっている。
【００４５】
さて、図３（Ａ）に示すように、ストラップ１００を使用していないときは、輪が閉じている。よって、図４（Ａ）に示すように、板バネ１１２の付勢力によって、紐部１０２の他方の端部１０２Ａ側に取り付けられた第二電極１２２の凸部１２４が、第一電極１２０に押し付けられた通電状態となる。
【００４６】
しかし、図３（Ｂ）に示すように、撮影者が、ストラップ１００を腕Ｐや首（図示略）などに通すと、輪が開く。よって、図４（Ｂ）に示すように、板バネ１１２の付勢力に対抗して、紐部１０２の他方の端部１０２Ａに取り付けられた第二電極１２２の凸部１２４が第一電極１２０から離間し通電が切れる。
【００４７】
このように、第一電極１２０、第二電極１２２と導線１３０，１３２によって電気的に繋がっている制御部５０（図５参照）は、第一電極１２０と第二電極１２２との間で通電しているか否かを検出することによって、撮影者がストラップ１００を使用しているか否かを検出できる。
【００４８】
つぎに、制御部５０での制御について説明する。
【００４９】
まず、電源スイッチ２４（図１参照）をオンする場合について説明する。
【００５０】
図６に示すように、ステップ２００で電源をオンする。ステップ２０２で撮影者がストラップ１００を使用しているか否かを検出する。（図４に示すように、第一電極１２０と第二電極１２２が通電しているか否かで検出する）。撮影者がストラップ１００を使用してない場合は（図３（Ａ）、図４（Ａ）の場合は）、ステップ２０４に進み、図２に示すように、液晶ディスプレイ４０に「ストラップを使用してください」など、撮影者にストラップ１００を使用していない旨や使用を促す表示を行う。なお、同時に警告音を鳴らしても良い。そして、ステップ２０４からステップ２０２に戻る。
【００５１】
よって、ステップ２０２でストラップ１００の使用が検出されるまで、ステップ２０４からステップ２０２に戻るループを繰り返す。したがって、この間、警告表示が表示され続けると共に、ズームレンズユニット１１は繰り出されない。（ズームレンズユニット１１の繰り出しは許可されない）。
【００５２】
撮影者がストラップ１００を使用し、使用が検出されると（図３（Ｂ）、図４（Ｂ）となると）、ステップ２０２からステップ２０６に進みズームレンズユニット１１が繰り出される。（ズームレンズユニット１１の繰り出しを許可する）。また、警告表示も表示されなくなる。
【００５３】
このように、ストラップ１００が使用されるまで警告表示（図２参照）を行うと共に、ズームレンズユニット１１を繰り出さないようになっている。
【００５４】
なお、ズームレンズユニット１１の繰り出しの制御を行わず警告表示の表示のみであってもよい。或いは、警告表示は表示せずにズームレンズユニット１１の繰り出しの制御のみであってもよい。
【００５５】
つぎに、ズームレンズユニット１１が繰り出した状態（図１（Ｂ）参照）での制御について説明する。
【００５６】
図７に示すように、ステップ３００でズームレンズユニット１１を繰り出した状態であることを確認する。ステップ３０２で撮影者がストラップ１００を使用しているか否かを検出する。撮影者がストラップ１００を使用している場合は、ステップ３０２への入力へ戻る。
【００５７】
よって、ストラップ１００が使用されている限りステップ３０２からステップ３０２に戻るループを繰り返す。
【００５８】
撮影者がストラップ１００を使用しなくなった場合は、ステップ３０４に進み、ズームレンズユニット１１を沈胴させる。
【００５９】
つまり、ズームレンズユニット１１が繰り出されている間はストラップ１００の使用状態を監視し続け、ストラップ１００が使用されなくなったら、ズームレンズユニット１１を沈胴させる。
【００６０】
さらに、図８に示すように、同様に、ズームレンズユニット１１が繰り出されている間はストラップ１００の使用状態を監視し続け、ストラップ１００が使用されなくなったら、液晶ディスプレイ４０に「ストラップを使用してください」（図２参照）など、撮影者にストラップ１００を使用していない旨や使用を促す等の警告表示を行う。なお、同時に警告音を鳴らしても良い。
【００６１】
つぎに、本実施形態の作用について説明する。
【００６２】
今まで説明したように、腕Ｐや首にストラップ１００を通すと輪が広がることを利用して、撮影者がストラップ１００を使用しているか否かを検出している。（図３、図４参照）。
【００６３】
そして、電源をオンすると、ストラップ１００を使用するまで、液晶ディスプレイ４０に警告表示を表示する（図２参照）と共に、ズームレンズユニット１１を繰り出さない。
【００６４】
また、ズームレンズユニット１１が繰出されている状態のとき、ストラップ１００の使用を監視し、ストラップ１００が使用さなれなくなったら、ズームレンズユニット１１を沈胴させると共に、警告表示を表示する。
【００６５】
このように、ズームレンズユニット１１が繰り出され伸長しているときは、必ずストラップ１００が使用されている状態となるので、ズームレンズユニット１１が繰り出され伸長した状態での落下が防止される。
【００６６】
なお、警告表示であるが、常にズームレンズユニット１１の繰り出し・沈胴の監視と、ストラップ１００の使用状態の監視と、を行い。ズームレンズユニット１１が繰り出した状態、且つ、ストラップ１００が非使用の状態となると、警告表示を行うようにしても良い。
【００６７】
また、本実施形態では、電源スイッチ２４のオン・オフに連動して、ズームレンズユニット１１が繰り出し・沈胴する制御となっていたが、別途、撮影者が操作ボタン４４，４６（図２参照）等を操作し、ズームレンズユニット１１の繰り出し操作や沈胴の制御を行う制御の場合、図６のステップ２００の「電源オン」を、「ズームレンズユニット１１の繰り出し操作」とすれば良い。つまり、撮影者が操作ボタン４４，４６（図２参照）等を操作し、ズームレンズユニット１１の繰り出し操作を行うと、ストラップ１００の使用の有無を検出し、ストラップ１００の使用が検出されるまで、警告表示を表示すると共に、ズームレンズユニット１１を繰り出さないようにすれば良い。
【００６８】
つぎに、ストラップの他の実施形態について説明する。
【００６９】
図９に示すように、ストラップ５００は、断面が平たい長方形をした帯状の紐部５０２を備えている。この紐部５０２の両端部５０２Ａ、５０２Ｂは、箱形状の根元部５１０に取り付けられている。よって、ストラップ５００は略全体がループ状の輪になっている。
【００７０】
根元部５１０の開口の反対側には、円筒状の筒部５１２が設けられ、この筒部５１２がカメラ筐体１２に取り付けられている。
【００７１】
紐部５０２の一方の端部５０２Ａは、根元部５１０の内壁に固定されている。紐部５０２の他方の端部５０２Ａは、リール５０６に取り付けられている。
【００７２】
図９（Ｂ）に示すように、ストラップ５００を使用していない場合は、リール５０６に紐部５０２が巻き取られる。なお、このリール５０６は、スプリング（図示略）等によって回転力（巻取力）が付与され、自動的に紐部５０２を巻き取るようになっている。よって、撮影者がストラップ５００を使用していないときは、常に紐部５０２が巻き取られた状態となっている。
【００７３】
そして、ストラップ５００を使用するときは、図９（Ａ）に示すように、紐部５０２を引き出して使用するようになっている。
【００７４】
また、根元部５１０の内部の壁面には、マイクロスイッチ５２０が取り付けられている。そして、図９（Ｂ）に示すように、紐部５０２が巻き取られ外径が大きくなると、マイクロスイッチ５２０のスイッチ板５２２が押されマイクロスイッチ５２０がオンする。しかし、図９（Ａ）に示すように、撮影者がストラップ５００を使用するために、紐部５０２を引き出し外径が小さくなると、スイッチ板５２２が押されなくなり、マイクロスイッチ５２０がオフする。なお、このマイクロスイッチ５２０は制御部５０（図５参照）に繋がっている。
【００７５】
このように、撮影者がストラップ５００を使用しているか否かの検出は、巻き取られた紐部５０２の外径の変化、すなわちマイクロスイッチ５２０のオン（非使用）かオフ（使用）かで容易に検出できる。
【００７６】
なお、本発明は、上記の実施形態に限定されない。
【００７７】
例えば、ストラップ１００，５００は略全体がループ状の輪になっていいたが、これに限定されない。例えば、先端部分にのみ身体の一部が通る輪が形成されているストラップでも良い。或いは、輪は形成されず、撮影者の衣服などを挟むためのクリップが先端に取り付けられているストラップであっても良い。そして、それぞれのストラップの形状に応じた（撮影者がストラップを使用しているか否かを検出する）検出手段を設ければ良い。
【００７８】
また、上記実施形態は主に静止画を撮影するデジタルカメラで説明したが、主に動画を撮影するデジタルビデオカメラであっても良い。或いは、デジタルカメラでなく、フイルムカメラであってもよい。
【図面の簡単な説明】
【００７９】
【図１】本発明の実施形態に係るデジタルカメラを「示し、（Ａ）はズームレンズユニットが繰り出され伸長した状態の図であり、（Ｂ）はズームレンズユニットが沈胴した状態の正面図である。
【図２】本発明の実施形態に係るデジタルカメラの背面図である
【図３】（Ａ）は撮影者がストラップを使用していない状態を示し、（Ｂ）は撮影者がストラップを使用している状態を示す図である。
【図４】ストラップの根元部の内部を示し、（Ａ）は撮影者がストラップを使用していない状態を示し、（Ｂ）は撮影者がストラップを使用している状態を示す図である。
【図５】本発明の実施形態に係るデジタルカメラのブロック図である。
【図６】電源をオンした際の制御を示すフローチャートである。
【図７】ズームレンズユニットが繰り出された状態での制御を示すフローチャートである。
【図８】ズームレンズユニットが繰り出された状態での制御を示すフローチャートである。
【図９】その他の実施形態のストラップの根元部の内部を示し、（Ａ）はストラップが引き出され撮影者がストラップを使用している状態を示し、（Ｂ）はストラップが巻き取られ撮影者がストラップを使用していない状態を示す図である。
【符号の説明】
【００８０】
１０      デジタルカメラ（撮像装置）
１１      ズームレンズユニット（レンズユニット）
１２      カメラ筐体（撮像装置筐体）
４０      液晶ディスプレイ（表示手段）
５０      制御部（制御手段）
１００      ストラップ
１０４      根元部（検出手段）
５００      ストラップ
５０６      リール（巻取手段）
５１０      根元部（検出手段）
Ｐ      腕（身体の一部）
【図１】
2007108323.tif 000003
【図２】
2007108323.tif 000004
【図３】
2007108323.tif 000005
【図４】
2007108323.tif 000006
【図５】
2007108323.tif 000007
【図６】
2007108323.tif 000008
【図７】
2007108323.tif 000009
【図８】
2007108323.tif 000010
【図９】
2007108323.tif 000011